(57)【要約】      （修正有）【課題】  唐箕の構造を工夫することによって、唐箕から吹き出す選別風の風量を幅広く調節することのできる脱穀装置を実現する。【解決手段】  唐箕１０から処理物の搬送下手側の排塵口に向って選別風を供給するように構成してある脱穀装置において、唐箕１０の吹出口１０ａに唐箕１０から吹き出す選別風の風量を調節可能な風量調節部材２１を備えるとともに、唐箕１０の搬送上手側下部に唐箕１０内を通過する選別風の一部を機外へ排風することによって唐箕１０から吹き出す選別風の風量を調節可能な排風調節部材２２を備える。【選択図】図２
2008043277.tif 000002
【特許請求の範囲】
【請求項１】
扱室の下方に揺動選別装置を備え、前記揺動選別装置の処理物の搬送上手側の下方に唐箕を備えて、前記唐箕から処理物の搬送下手側の排塵口に向って選別風を供給するように構成してある脱穀装置であって、
前記唐箕の吹出口に、前記唐箕から吹き出す選別風の風量を調節可能な風量調節部材を備え、
前記唐箕の搬送上手側下部に、前記唐箕内を通過する選別風の一部を機外へ排風することによって前記唐箕から吹き出す選別風の風量を調節可能な排風調節部材を備えてある脱穀装置。
【請求項２】
前記揺動選別装置に、前記扱室から落下供給される処理物を受け止めて搬送しながら選別処理するグレンパンを備え、前記グレンパンの終端部に向って選別風を供給する回転ファンを備え、
前記回転ファンのファン吹出口に、前記回転ファンから吹き出す選別風の風量を調節可能なファン風量調節部材を備えて、
前記風量調節部材又は排風調節部材と、前記ファン風量調節部材とを連動可能に構成してある請求項１記載の脱穀装置。
【発明の詳細な説明】
【技術分野】
【０００１】
本発明は、揺動選別装置の処理物の搬送上手側の下方に唐箕を備えた脱穀装置に関する。
【背景技術】
【０００２】
従来の技術としては、例えば、特許文献１に開示されているように、唐箕の搬送上手側下部に、唐箕から吹き出す選別風の風量を調節可能な排風調節部材を備えた脱穀装置や、特許文献２に開示されているように、唐箕の吹出口に、唐箕から吹き出す選別風の風量を調節可能な風量調節部材を設けた脱穀装置が知られている。
【０００３】
【特許文献１】特開２００３−２６５０２９号公報
【特許文献２】特開２００２−２６２６５３号公報
【発明の開示】
【発明が解決しようとする課題】
【０００４】
特許文献１に開示されている脱穀装置においては、唐箕の搬送上手側下部に排風調節部材を設けて、唐箕内に一度吸い込んだ選別風の一部を機外へ排風することによって、唐箕から吹き出す選別風の風量を調節する構造を採用していた。
しかし、排風調節部材を開閉しても、唐箕内の風圧と排風調節部材により開放した機外の大気圧との圧力差が小さく、唐箕内の選別風の一部が機外に排風され難かったと考えられる。そのため、排風調節部材を開閉しても、唐箕から吹き出す選別風の風量を調節することが難しく、唐箕から吹き出す風量を幅広く調節できないといった問題があった。
【０００５】
また、特許文献２に開示されている脱穀装置においては、唐箕の吹出口に、唐箕から吹き出す選別風の風量を調節可能な風量調節部材を設けて、唐箕の吹出口を絞ることによって、唐箕から吹き出す選別風の風量を調節する構造を採用していた。
しかし、風量調節部材によって唐箕の吹出口を絞っても選別風の風速が増加する傾向が強かったと考えられる。そのため、唐箕の風量を調節することが難しく、唐箕から吹き出す選別風の風量を幅広く調節することできないといった問題があった。
本発明は、唐箕の構造を工夫することによって、唐箕から吹き出す選別風の風量を幅広く調節することのできる脱穀装置を実現することを目的としている。
【課題を解決するための手段】
【０００６】
［Ｉ］
（構成）
本発明の第１特徴は、扱室の下方に揺動選別装置を備え、前記揺動選別装置の処理物の搬送上手側の下方に唐箕を備えて、前記唐箕から処理物の搬送下手側の排塵口に向って選別風を供給するように構成してある脱穀装置において、次のように構成することにある。
前記唐箕の吹出口に、前記唐箕から吹き出す選別風の風量を調節可能な風量調節部材を備え、
前記唐箕の搬送上手側下部に、前記唐箕内を通過する選別風の一部を機外へ排風することによって前記唐箕から吹き出す選別風の風量を調節可能な排風調節部材を備える。
【０００７】
（作用）
本発明の第１特徴によると、唐箕の吹出口に、唐箕から吹き出す選別風の風量を調節可能な風量調節部材を備え、唐箕の搬送上手側下部に、唐箕内を通過する選別風の一部を機外へ排風することによって唐箕から吹き出す選別風の風量を調節可能な排風調節部材を備えることにより、風量調節部材と排風調節部材との共働で唐箕から吹き出す選別風の風量を調節することができる。
【０００８】
具体的に説明すると、唐箕の吹出口に備えた風量調節部材を調節して唐箕の吹出口を絞ると唐箕内の風圧が上昇する。唐箕内の風圧が上昇した状態で、唐箕の搬送上手側下部に設けた排風調節部材を調節して唐箕の一部が機外に開放されると、唐箕内の風圧と排風調節部材により開放した機外の大気圧との間に圧力差が生じる。そうすると、唐箕内の選別風の一部がこの圧力差によって機外に排風され易くなると考えられる。すなわち、風量調節部材を調節することによって唐箕内の風圧を上昇させるとともに、排風調節部材を調節することによって唐箕の一部を機外に開放することで、風量調節部材と排風調節部材との共働で唐箕から吹き出す選別風の風量を調節することができると考えられる。
【０００９】
（発明の効果）
本発明の第１特徴によると、風量調節部材と排風調節部材との共働で唐箕から吹き出す選別風の風量を調節することができるため、風量調節部材又は排風調節部材のみで選別風の風量を調節する場合に比べ、風量調節部材及び排風調節部材の特性を有効に活用して、唐箕から吹き出す選別風の風量を幅広く調節することのでき、脱穀装置の選別性能を向上させることができる。
【００１０】
［ＩＩ］
（構成）
本発明の第２特徴は、本発明の第１特徴の脱穀装置において、次のように構成することにある。
前記揺動選別装置に、前記扱室から落下供給される処理物を受け止めて搬送しながら選別処理するグレンパンを備え、前記グレンパンの終端部に向って選別風を供給する回転ファンを備えるとともに、前記回転ファンのファン吹出口に、前記回転ファンから吹き出す選別風の風量を調節可能なファン風量調節部材を備えて、
前記風量調節部材又は排風調節部材と、前記ファン風量調節部材とを連動可能に構成する。
【００１１】
（作用）
本発明の第２特徴によると、本発明の第１特徴と同様に前項［Ｉ］に記載の「作用」を備えており、これに加えて以下のような「作用」を備えている。
本発明の第２特徴によると、回転ファンと、この回転ファンから吹き出す選別風の風量を調節可能なファン風量調節部材を備えることにより、グレンパンの終端部に供給される処理物の量に応じて回転ファンから吹き出す選別風の風量を調節することができる。
【００１２】
例えば、唐箕の吹出口に風量調節部材を備えて、唐箕から吹き出す選別風の風量を調節可能に構成しようとすると、風量調節部材をアクチュエータ等によって駆動するように構成することが考えられる。排風調節部材やファン風量調節部材についても同様に、アクチュエータ等によって駆動することが考えられる。しかし、これらの調節部材をそれぞれ独立して駆動させようとすると、それぞれの駆動装置等を構成する必要があり、部品点数が多くなって、製造コストアップの要因となる。
【００１３】
本発明の第２特徴によると、請求項１記載の風量調節部材又は排風調節部材と、ファン風量調節部材とを連動可能に構成することにより、風量調節部材又は排風調節部材と、ファン風量調節部材とを一つのアクチュエータ等で駆動することができる。そのため、例えば、それぞれの調節部材を別個にアクチュエータ等で駆動する場合に比べ、アクチュエータや駆動装置等を簡素化することができる。
【００１４】
（発明の効果）
本発明の第２特徴によると、本発明の第１特徴と同様に前項［Ｉ］に記載の「発明の効果」を備えており、これに加えて以下のような「発明の効果」を備えている。
本発明の第２特徴によると、グレンパンの終端部に供給される処理物の量に応じて回転ファンから吹き出す選別風の風量を調節することができるため、グレンパンの終端部における処理物の選別効率を向上させることができる。
【００１５】
本発明の第２特徴によると、風量調節部材、排風調節部材及びファン風量調節部材を駆動するアクチュエータや駆動装置等を簡素化することができるため、部品点数が少なくなって、製造コストを削減することができる。
【発明を実施するための最良の形態】
【００１６】
〔脱穀装置の全体構成〕
図１に、コンバインに搭載された脱穀装置１を示す。なお、この発明を実施するための最良の形態においては、脱穀装置１をコンバインに搭載した例を示すため、図１における左方が処理物の搬送上手側に相当し、図１における右方が処理物の搬送下手側に相当し、図１における手前側がフィードチェーン２側に相当する（図２〜図５においても同様）。以下の説明においては、処理物の搬送上手側を前方と、処理物の搬送下手側を後方と表示する。
【００１７】
図１に示すように、脱穀装置１は、その上部側に扱室Ａ、中間部側に揺動選別装置Ｂ、下部側に回収装置Ｃを配設している。脱穀装置１には、刈取処理された穀稈をフィードチェーン２で挟持搬送しながら扱き処理する扱胴３を扱室Ａに軸架するとともに、扱き処理された処理物を漏下させる受網５を扱胴３の下方側に配設している。
【００１８】
揺動選別装置Ｂには、受網５から漏下した処理物を受け止めるグレンパン６と、このグレンパン６の後方に順に位置させたチャフシーブ７及びストローラック８と、チャフシーブ７の下方に位置するグレンシーブ９とを備え、前後揺動駆動されるシーブケース１６に架設されている。
【００１９】
回収装置Ｃには、グレンパン６の下方側に位置し回転速度が一定の速度に設定された唐箕１０と、グレンシーブ９の下方に位置しグレンシーブ９からの漏化物（一番物）を回収して横一側に横送りする一番物搬送スクリュ１１と、ストローラック８の下方に位置しグレンシーブ９やチャフシーブ７等からの漏化物（二番物）を回収して横一側に横送りする二番物搬送スクリュ１２と、一番物搬送スクリュ１１と二番物搬送スクリュ１２の間に位置し二番物搬送スクリュ１２の上方に向って選別風を供給する選別ファン１３が配設されている。
【００２０】
揺動選別装置Ｂの前側下方で唐箕１０の前方には、回転ファン１４を備え、上側ファンケース１８と下側ファンケース１９に案内されて、グレンパン６の終端部及びその後方に設けた固定ガイド１５に向って選別風を供給するように構成されている。また、扱胴３の後方に回転胴１７を備え、扱胴３の後端部から排出される処理物をこの回転胴１７によって解し処理し、塵埃から穀粒を取り出すように構成されており、この回転胴１７の後方には藁屑を機外に排出する排塵ファン４が配設されている。
【００２１】
排塵ファン４の下方に排塵口４０が設けられており、揺動選別装置Ｂの前部下方に位置する唐箕１０から、この排塵口４０に向って選別風を供給することで、処理物に含まれる穀粒と藁屑を選別することができるように構成されている。
【００２２】
〔唐箕の周辺構造〕
図２に示すように、唐箕１０の吹出口１０ａの下側には、導風板２０を備え、この導風板２０の後端部は斜め後方下方に位置する一番物搬送スクリュ１１の方向に向って折り曲げられて、選別風の一部が一番物搬送スクリュ１１の上方に供給されるように構成されている。この導風板２０の下方に唐箕１０から吹き出す選別風の風量を調節可能な風量調節部材２１を備える。風量調節部材２１は、その後端部の支点Ｐ１周りに上下に揺動可能に構成されており、風量調節部材２１を上方に揺動させると、唐箕１０の吹出口１０ａの一部が塞がれて、風量調節部材２１を下方に揺動させると、唐箕１０の吹出口１０ａが開くように構成されている。
【００２３】
唐箕１０のケーシング１０ｃの前方下部には、排風口１０ｂを備え、この排風口１０ｂに、唐箕１０内を通過する選別風の一部を機外へ排風することが可能な排風調節部材２２が取り付けられている。排風調節部材２２は、その上端部の搬送方向に直交する方向（以下左右方向という）の軸心Ｐ２周りに前後に揺動可能に構成されており、排風調節部材２２を前方に揺動させると、唐箕１０の排風口１０ｂが機外に開放され、排風調節部材２２を後方に揺動させると、唐箕１０の排風口１０ｂが閉じるように構成されている。
【００２４】
回転ファン１４の上側に設けた上側ファンケース１８の下面側に、回転ファン１４から吹き出す選別風の風量を調節可能なファン風量調節部材２３を備える。ファン風量調節部材２３は、その前端部の支点Ｐ３周りに上下に揺動可能に構成されており、ファン風量調節部材２３を下方に揺動させると、ファン吹出口１４ａの一部が塞がれて、ファン風量調節部材２３を上方に揺動させると、ファン吹出口１４ａが開くように構成されている。
【００２５】
〔各調節部材の連係構造〕
図３〜図５に示すように、上述した風量調節部材２１、排風調節部材２２及びファン風量調節部材２３は一つの電動モータ２５によって、連動駆動されるように構成されている。
【００２６】
電動モータ２５は、減速機２９を介して回転ファン１４の上方に位置するブラケット２７に固定されており、その出力軸２８に出力ギア２６が固定されている。ブラケット２７には揺動軸３０が左右方向の軸心Ｐ４周りで回動可能に取り付けられており、この揺動軸３０に駆動ギア３１が固定されている。ブラケット２７に取り付けた駆動ギア３１と電動モータ２５の出力ギア２６は噛合されており、電動モータ２５を回転させると、減速機２９及び出力ギア２６を介して駆動ギア３１が揺動軸３０の軸心Ｐ４周りに揺動するように構成されている。
【００２７】
揺動軸３０にはアーム３２が固定されており、このアーム３２の揺動軸３０とは反対側の端部に上下方向に長さ調節可能な連係ロッド３３が回動可能に取り付けられている。連係ロッド３３の上下中央部にはロッド３４が固定されており、このロッド３４がファン風量調節部材２３の上面側に当接するようにＬ字状に折り曲げ成形されている。ファン風量調節部材２３の前端部は、上側ファンケース１８の下面側に固定され下方に延出されたブラケット１８ａに支点Ｐ３周りに上下に揺動可能に取り付けられており、連係ロッド３３が上下方向に移動すると、ロッド３４を介してファン風量調節部材２３が支点Ｐ３周りに上下に揺動するように構成されている。このように、ファン風量調節部材２３とブラケット１８ａとによって回転ファン１４の風量を調節可能に構成することによって、部品点数が少なくなって、製造コストを削減することができる。
【００２８】
ファン風量調節部材２３の後端部とブラケット２７とに亘ってスプリング３５が取り付けられており、ファン風量調節部材２３の後端部が上側ファンケース１８の下面に当接した状態、すなわち、回転ファン１４のファン吹出口１４ａが最も開いた状態にバネ付勢するように構成されている。このスプリング３５の付勢力に抗して、ロッド３４によってファン風量調節部材２３を押し下げることによって、ファン風量調節部材２３が支点Ｐ３周りに下方へ揺動して、ファン吹出口１４ａの一部を塞ぐことができるように構成されている。
【００２９】
排風調節部材２２の上端部に固定した揺動軸３７からアーム３８が後方に向って延出されており、このアーム３８が連係ロッド３９の前端部に連係ロッド３３とともに回動及び摺動自在に取り付けられている。このように構成することで、連係ロッド３３が下方に移動すると、アーム３８が揺動軸３７の左右方向の軸心Ｐ２周りに揺動するとともに、排風調節部材２２が揺動して、排風口１０ｂが機外に開放されるようになっている。
【００３０】
連係ロッド３９は、その中央部に位置する回動軸４１の左右方向の軸心Ｐ５周りに回動自在に取り付けられており、この連係ロッド３９の後端部に、風量調節部材２１の前端部が回動及び摺動自在に取り付けられている。このように構成することで、連係ロッド３３が下方に移動すると、連係ロッド３９が軸心Ｐ５周りに揺動して、連係ロッド３９の一端部に取り付けた風量調節部材２１が支点Ｐ１周りに揺動することで、吹出口１０ａの一部を塞ぐことができるように構成されている。
【００３１】
以上のように構成することで、電動モータ２５を正回転させて、フィードチェーン２側から見た側面視で電動モータ２５の出力軸２８が反時計回りに回転すると、駆動ギア３１が軸心Ｐ４周りで時計回りに揺動して連係ロッド３３を押し下げる。そうすると、ファン風量調節部材２３はロッド３４に押し下げられて支点Ｐ３周りで時計回りに揺動し、排風調節部材２２はアーム３８を介して軸心Ｐ２周りで時計回りに揺動して、さらに、風量調節部材２１は連係ロッド３９を介して支点Ｐ１周りで時計回りに揺動する。このように、電動モータ２５を正回転させると、排風調節部材２２が揺動して排風口１０ｂが開くと同時に、風量調節部材２１が揺動して吹出口１０ａの一部が塞がれて、唐箕１０の風量を弱めることができる。また、ファン風量調節部材２３も連動されているため、唐箕１０の風量を弱めることができると同時に、ファン風量調節部材２３も揺動してファン吹出口１４ａの一部が塞がれて回転ファン１４の風量を弱めることができる。
【００３２】
一方、電動モータ２５を逆回転させて、フィードチェーン２側から見た側面視で電動モータ２５の出力軸２８が時計回りに回転すると、駆動ギア３１が軸心Ｐ４周りで反時計回りに揺動して連係ロッド３３を押し上げる。そうすると、ファン風量調節部材２３はスプリング３５の付勢力によって支点Ｐ３周りで反時計回りに揺動し、排風調節部材２２はアーム３８を介して軸心Ｐ２周りで反時計回りに揺動し、さらに、風量調節部材２１は連係ロッド３９を介して支点Ｐ１周りで反時計回りに揺動する。このように、電動モータ２５を逆回転させると、排風調節部材２２が揺動して排風口１０ｂが閉じると同時に、風量調節部材２１が揺動して吹出口１０ａが開いて、唐箕１０の風量を強めることができる。また、ファン風量調節部材２３も連動されているため、唐箕１０の風量を強めることができると同時に、ファン風量調節部材２３も揺動してファン吹出口１４ａが開いて回転ファン１４の風量を強めることができる。
【００３３】
なお、ファン風量調節部材２３、排風調節部材２２、及び、風量調節部材２１は、電動モータ２５を正逆転させて任意の位置で停止することで、連続的にその開閉度を調節することができるように構成されており、唐箕１０から吹き出す選別風の風量及び回転ファン１４から吹き出す選別風の風量を連続的に調節できるようになっている。このように構成することで、処理物の量等に応じて、唐箕１０から吹き出す選別風の風量及び回転ファン１４から吹き出す選別風の風量を微調節することが可能になって、脱穀装置１の選別性能を向上させることができる。
【００３４】
［発明の実施の第１別形態］
前述の［発明を実施するための最良の形態］においては、唐箕１０の吹出口１０ａの一部を風量調節部材２１によって塞ぐことによって、唐箕１０から吹き出す選別風の風量を調節可能に構成した例を示したが、図６〜図８に示すように、唐箕１０から吹き出す選別風の一部を第２風量調節部材２４及び風量調節部材２１によって機外に排風することによって、唐箕１０から吹き出す選別風の風量を調節可能に構成してもよい。なお、後述する第２風量調節部材２４及び風量調節部材２１に関する構成以外の他の脱穀装置１の構成は、前述の［発明を実施するための最良の形態］と同様である。また、この発明を実施の第１別形態においては、脱穀装置１をコンバインに搭載した例を示すため、図６における左方が処理物の搬送上手側に相当し、図６における右方が処理物の搬送下手側に相当する（図７及び図８においても同様）。以下の説明においては、処理物の搬送上手側を前方と、処理物の搬送下手側を後方と表示する。
【００３５】
図６に示すように、唐箕１０のケーシング１０ｃの後方下部に、機外に開放された前後二つの第２排風口１０ｄ及び１０ｅが形成されている。第２排風口１０ｄには、唐箕１０から吹き出す選別風の一部を機外へ排風することが可能な第２風量調節部材２４が、その前端部の揺動軸４３の左右方向の軸心Ｐ６周りに上下に揺動可能に取り付けられており、第２風量調節部材２４を下方に揺動させると、唐箕１０の第２排風口１０ｄが機外に開放され、第２風量調節部材２４を上方に揺動させると、唐箕１０の第２排風口１０ｄが塞がれるように構成されている。
【００３６】
一方、第２排風口１０ｅには、風量調節部材２１が、その後端部の支点Ｐ１周りに上下に揺動可能に取り付けられており、風量調節部材２１を上方に揺動させると、唐箕１０の吹出口１０ａが塞がれると同時に第２排風口１０ｅが機外に開放されて、風量調節部材２１を下方に揺動させると、唐箕１０の吹出口１０ａが開くと同時に第２排風口１０ｅが塞がれるように構成されている。
【００３７】
図７及び図８に示すように、連係ロッド３９は、その中央部に位置する回動軸４１の軸心Ｐ５周りに回動自在に取り付けられており、この連係ロッド３９の後端部に、風量調節部材２１の前端部が回動及び摺動自在に取り付けられている。連係ロッド３３が下方に移動すると、連係ロッド３９が揺動軸４１の左右方向の軸心Ｐ５周りに回転して、連係ロッド３９の後端部に取り付けた風量調節部材２１が支点Ｐ１周りに揺動し、吹出口１０ａの一部が塞がれると同時に第２排風口１０ｅが機外に開放されるように構成されている。
【００３８】
第２風量調節部材２４の前端部に固定した揺動軸４３には、この揺動軸４３と一体揺動可能なアーム４４が固定されており、このアーム４４の他端部はロッド４５を介して、連係ロッド３９に連係されている。このように構成することで、連係ロッド３３が下方に移動すると、連係ロッド３９が回転軸４１の軸心Ｐ５周りに回転して、この連係ロッド３９に回動可能に取り付けられたロッド４５が上方に押し上げられる。そうすると、ロッド４５に連係されたアーム４４とともに、このアーム４４に揺動軸４３を介して固定された第２風量調節部材２４も揺動軸４３の左右方向の軸心Ｐ６周りに揺動して、第２排風口１０ｄが機外に開放されるようになっている。
【００３９】
以上のように構成することで、電動モータ２５を正回転させると、排風調節部材２２が揺動して排風口１０ｂが開き、風量調節部材２１が揺動して吹出口１０ａの一部が塞がれると同時に、第２風量調節部材２４及び風量調節部材２１によって第２排風口１０ｄ，１０ｅが開放されて、吹出口１０ａから吹き出す選別風の一部を積極的に機外へ排風することができて、唐箕１０の風量を弱めることができる。
【００４０】
このように、風量調節部材２１によって吹出口１０ａの一部が塞がれると同時に、第２風量調節部材２４及び風量調節部材２１によって第２排風口１０ｄ，１０ｅが開放されることで、唐箕１０から吹き出す選別風の一部が、風量調節部材２１と第２風量調節部材２４に案内されて、機外に排風され易くなると考えられる。また、風量調節部材２１と、第２風量調節部材２４と、排風調節部材２２との共働で唐箕１０から吹き出す選別風の風量を調節することによって、唐箕１０から吹き出す選別風の一部が、機外に排風され易くなると考えられる。そのため、唐箕１０から吹き出す選別風の風量を幅広く調節することができて、脱穀装置１の選別性能を向上させることができる。
【００４１】
［発明の実施の第２別形態］
前述の［発明を実施するための最良の形態］においては、風量調節部材２１と、排風調節部材２２と、ファン風量調節部材２３とを一つの電動モータ２５で連動させた例を示したが、これらのすべてを連動させる構成に限らず、風量調節部材２１とファン風量調節部材２３を連動させる構成や、排風調節部材２２とファン風量調節部材２３を連動させる構成を採用してもよい。また、前述の［発明の実施の第１別形態］においては、風量調節部材２１と、排風調節部材２２と、ファン風量調節部材２３に加えて、第２風量調節部材２４を一つの電動モータ２５で連動させた例を示したが、これらのすべてを連動させる構成に限らず、風量調節部材２１とファン風量調節部材２３を連動させる構成、排風調節部材２２とファン風量調節部材２３を連動させる構成、及び、第２風量調節部材２４とファン風量調節部材２３を連動させる構成を採用してもよい。
【００４２】
前述の［発明を実施するための最良の形態］及び［発明の実施の第１別形態］においては、電動モータ２５によって連動させる構成を採用した例を示したが、電動モータ２５に限らず、他のアクチュエータ、例えば電動シリンダ（図示せず）等によって構成してもよく、また、操作レバー（図示せず）等によって手動で風量を調節できるように構成してもよい。
【００４３】
前述の［発明を実施するための最良の形態］及び［発明の実施の第１別形態］においては、連係ロッド３３等を用いて連動させる構成を採用した例を示したが、連係ロッド３３等に限らず、例えば、連係ワイヤ（図示せず）等を採用してもよい。
【００４４】
［発明の実施の第３別形態］
前述の［発明を実施するための最良の形態］、［発明の実施の第１別形態］及び［発明の実施の第２別形態］においては、コンバインに搭載した脱穀装置１を例に示したが、コンバインに搭載する脱穀装置１に限らず、例えば、刈取部（図示せず）を備えていないハーベスタ（図示せず）に搭載する脱穀装置１においても同様に適用できる。
【図面の簡単な説明】
【００４５】
【図１】脱穀装置の縦断側面図
【図２】唐箕の周辺構造を示す縦断側面図
【図３】唐箕の風量を弱くした状態での各調節部材の連係構造を示す側面図
【図４】唐箕の風量を強くした状態での各調節部材の連係構造を示す側面図
【図５】各調節部材の連係構造を示す斜視図
【図６】発明の実施の第１別形態における唐箕の周辺構造を示す縦断側面図
【図７】発明の実施の第１別形態における唐箕の風量を弱くした状態での各調節部材の連係構造を示す側面図
【図８】発明の実施の第１別形態における唐箕の風量を強くした状態での各調節部材の連係構造を示す側面図
【符号の説明】
【００４６】
１        脱穀装置
６        グレンパン
１０      唐箕
１０ａ    吹出口
１４      回転ファン
１４ａ    ファン吹出口
２１      風量調節部材
２２      排風調節部材
２３      ファン風量調節部材
４０      排塵口
Ａ        扱室
Ｂ        揺動選別装置
【図１】
2008043277.tif 000003
【図２】
2008043277.tif 000004
【図３】
2008043277.tif 000005
【図４】
2008043277.tif 000006
【図５】
2008043277.tif 000007
【図６】
2008043277.tif 000008
【図７】
2008043277.tif 000009
【図８】
2008043277.tif 000010